(57)【特許請求の範囲】
【請求項１】
リード線を介して電気的なエネルギ供給部又は需要部に接続されるジャックにおいて、
該ジャックは、該ジャックに接続される外部端子に接触し、圧着により前記リード線に接続される圧着部を有するコンタクトと、該コンタクトを内部に挿入するためのコンタクト挿入開口及びコンタクト挿入室を有するハウジングと、前記コンタクトが前記コンタクト挿入室に挿入された状態で該コンタクト挿入開口を閉塞するカバーと、を含み、
前記ハウジングは、前記圧着部が収納される圧着部収納通路と、該圧着部収納通路からリード線をハウジング外部に延出するリード線挿通部と、を含み、
前記コンタクトは、第１の圧着部において圧着により専用のリード線に接続された中空の柱形状を有する中空柱形状コンタクトと、第２の圧着部において圧着により専用のリード線に接続された、弾性可動接触子を有する断面形状がＪ字型のＪ字型コンタクトと、を含み、
前記コンタクト挿入開口は、前記中空柱形状コンタクトを挿入するための第１の開口と、前記Ｊ字型コンタクトを挿入するための第２の開口と、を含み、
前記ハウジングは、前記第１の開口と前記第２の開口との間に設けられ、前記第１の圧着部と前記第２の圧着部とを隔離するように前記コンタクト挿入開口の開口側に延びる圧着部隔離壁を含み、
前記中空柱形状コンタクトは、前記第１の圧着部に向かう前記中空柱形状コンタクトの基底部近傍に、Ｌ字型のＬ字型舌片を有し、
前記コンタクト挿入室は、前記中空柱形状コンタクトを挿入する第１の挿入室を含み、前記第１の開口は、前記中空柱形状コンタクトを該第１の挿入室に挿入するように開口し、
前記第１の挿入室は、前記中空柱形状コンタクトを柱軸に沿って挿入させる柱挿入開口と、該柱挿入開口の近傍に設けられた、前記Ｌ字型舌片に係合して前記中空柱形状コンタクトの柱軸を中心とする回転を抑制する第１の係止部と、前記柱挿入開口への前記中空柱形状コンタクトの挿入の際に前記Ｌ字型舌片に当接して所定の位置に止める第２の係止部と、を含み、
前記中空柱形状コンタクトは、前記第１の圧着部に向かう前記中空柱形状コンタクトの基底部近傍に、柱接続基底部及び係合基底部を有し、
前記第１の挿入室は、前記係合基底部を係止して前記ハウジングから前記中空柱形状コンタクトが脱落することを防止する第３の係止部を含み、
前記Ｊ字型コンタクトは、Ｊ字型の主縦断面を構成する矩形の矩形背面板と、該矩形背面板から前面に位置する前記弾性可動接触子へ向かう途中に配置され前記弾性可動接触子に弾性による戻し力を担保する下方屈曲部と、該矩形背面板の両側面からＬ字状にＪ字型の前面方向に延びる左及び右のガイド板と、を有し、
前記コンタクト挿入室は、前記Ｊ字型コンタクトを挿入する第２の挿入室を含み、前記第２の開口は、前記Ｊ字型コンタクトを該第２の挿入室に挿入するように開口し、前記第２の挿入室は、前記Ｊ字型コンタクトを前記第２の挿入室に導くように前記左及び右のガイド板をそれぞれ案内する左及び右のスリット状のスリット開口を含み、
前記Ｊ字型コンタクトは、前記左及び右のガイド板の下方先端の先端エッジと、略平坦な矩形の板材から構成される前記矩形背面板に前記ハウジングへの挿入方向に対して楔状に隆起する楔隆起部と、を含み、
前記第２の挿入室は、前記第２の挿入室に挿入される前記Ｊ字型コンタクトを該先端エッジに当接させることにより係止させる、前記第２の挿入室の内壁に形成される第４の係止部と、前記楔隆起部と係合する前記第２の挿入室の内壁から延びる小片からなる第５の係止部と、を含むことを特徴とするジャック。
【請求項２】
前記コンタクト挿入開口が略矩形形状であり、前記ハウジングが該コンタクト挿入開口を規定する複数の辺を有し、該複数の辺のうち対向する少なくとも２つの辺の少なくとも一部に前記カバーの側端部と組み合って前記コンタクト挿入開口を閉塞するように前記カバーをスライドさせるガイド部材を含むことを特徴とする請求項１に記載のジャック。
【請求項３】
請求項１又は２に記載のジャックを用いた電子機器。
【請求項４】
請求項１又は２に記載のジャックを用いた薄型ノートパソコン。
【発明の詳細な説明】
【０００１】
【発明の属する技術分野】
本発明は、ノートパソコン等の携帯型電子機器に使用される電気的な信号やエネルギを伝達するジャックに関し、特にジャックに用いられるハウジングやコンタクト等の構造に関する。
【０００２】
【従来の技術】
携帯用電子機器は直流で動作されるものが多く、ＡＣアダプタによって家庭用の交流電源の電圧をステップダウンさせると同時に直流に変換して携帯用電子機器の電源とする。たいていのＡＣアダプタは、携帯用電子機器の電源ジャックに挿入して接続するためのプラグが付いたケーブルを用いる。このような電源ジャックの例としては、実公平１−１２３８６号公報に開示された電源ジャックのように基板に直接はんだ付けがされている。
【０００３】
【発明が解決しようとする課題】
しかし、従来品（実公平１−１２３８６号公報）のＤＣジャックでは相手側コネクタとの嵌合時にこじり挿抜によりリード取付け箇所の半田部にクラックが生じ、導通不良の一因となる。
【０００４】
本発明は、このような事情に鑑み、電源ジャックのコンタクトとその電源回路との接続が確実に行われる電源ジャックの接続構造を提供することを目的とする。尚、ここで提供する電源ジャックの接続構造は、電源を供給するジャックに限らず、電気信号や電気エネルギを伝達するあらゆる種類のジャックにそのまま適用される。従って、本目的は、広くジャックの接続構造を提供するものであるといってよい。
【０００５】
【課題を解決するための手段】
上記課題解決のために従来のジャック構造を解析した結果、半田を使用して電気的接続を行っていることと、その接続部位が機械的な変形にさらされやすいことが主な原因であることをつきとめることに成功した。そこで、本発明のジャックでは、ジャックのコンタクトとリード線との電気的接続を圧着により行い、この圧着部を機械的な変形にさらされにくいジャックのハウジング内に配置し、更に、ジャックから延出するリード線によってもこの圧着部に機械的な力が働きにくい構造とした。
【０００６】
更に、このジャックの製造において生産性が向上するように、ジャックの裏面にコンタクト挿入用の開口を設け、コンタクトのハウジングへの組み付けを容易にし、一旦組み付けられたコンタクトがその機能を発揮しつつハウジングに固定されるランス等の係合・係止構造や上記開口をカバーにより閉塞してジャック内の部品組付けや調整の再実施を不要とするハウジング構造を用いた。
【０００７】
より具体的には、本発明は、以下のようなものを提供する。
【０００８】
（１）  絶縁性のハウジングと、このハウジングに組み込まれた導電性のコンタクトと、を備えたジャックであって、以下のようなジャックを提供する。即ち、前記コンタクトは、（Ａ１）前記ハウジングからその一部が外部に露出されており、（Ａ２）該ジャックが取り付けられる機器の電源回路に接続されるリード線を圧着により接続する圧着部を備えている。また、前記ハウジングは、（Ｂ１）ハウジングの一部がカバーにより覆われており、（Ｂ２）リード線が延出されるリード線挿通部を備えている。また、前記コンタクトと前記ハウジングとでは、（Ｃ１）前記コンタクトが前記ハウジングの所定の位置に固定されるように前記コンタクトと前記ハウジングのそれぞれに係止手段を備え、当該係止手段が係合していることにより当該コンタクトが当該ハウジングに固定されている。
【０００９】
該ジャックが取り付けられる機器というのは、該ジャックを電源ジャックとして用いる機器を含んでよく、例えば、ノートブック型のパソコンを含む携帯可能な電気機器等があげられる。電源回路に接続されるリード線というのは、例えば上記電気機器の電源回路に接続されて電源用の電力を伝えるリード線のようなものであってよい。一般にリード線は、導電性の芯材を絶縁性の被覆材で覆う線である。リード線は、１本以上あってよい。圧着により接続するというのは、一般に圧着端子において端子の部材の一部をリード線等の心材を包み込むようにして折り曲げてその芯材を固定する圧着部を設けて、この固定により電気的（時に、及び機械的）に接続を行うことであってよい。また、リード線をその被覆材の上から包み込むようにして折り曲げてリード線を機械的に固定することを含んでいてよい。ハウジングの一部がカバーにより覆われているというのは、少なくとも一部がカバーで覆われることにより、外部から見えなくなったり、電気的又は物理的に接触できなくなることを含んでよい。特に、ハウジングに開口や凹部がある場合は、カバーにより覆われたときに、この開口が閉塞されたり、ハウジング内部に空間ができたりする効果があり得る。この空間は、ハウジング内にある収納用の部屋（又は室）となる場合もある。リード線が延出されるリード線挿通部は、リード線が物理的に通るところであってよく、例えば、ハウジングに凹部や穴等があった場合にそのところがリード線挿通部になり得る。また、例えばリード線がハウジング部材に埋め込まれていた場合は、そのリード線が通っているところをリード線挿通部といってよい。また、このリード線挿通部は、ハウジングにある開口とつながり、リード線をハウジング外に出すようになっていてよい。
【００１０】
コンタクトが固定されるハウジングの所定の位置とは、少なくともコンタクトの一部がハウジング内に挿入されているような位置であってよい。コンタクトは、ハウジングに対してその自由度が制限されているが、「固定される」というのは、ガタもなく予圧がかかって固定された状態を含み、また、あそびやガタがある状態を含んでよい。コンタクトとハウジングの係止手段は、突起部、凸部、隆起部等の部材や、釘、ボルト、リベット等を打ったときの打たれた部材表面より突出した部分や、フック、かえし、もどし等を含むことができるその他の出っ張った部分と、これらに対する、同様に出っ張った部分や、平坦部、凹部、ループ等の先の出っ張った部分を受ける部材や部分であってよく、これらに、さらに機械的な係合要素等を含んでいてよく、また、機械的な、電気的な、又は、メカトロニクス的な係合機構を含んでよく、また、一般にランスと呼ばれるものを含んでよい。これらの係止手段が係合していることによりコンタクトがハウジングに固定されていることは、コンタクトがハウジングの所定の位置にとどまり、かつ、その位置から脱落しないことを含んでよい。
【００１１】
（２）  前記ハウジングは、前記リード線挿通部に対応した開口（「リード線挿通開口」）を備えることを特徴とする上記（１）に記載のジャック。リード線挿通開口は、ハウジングに備えられた開口であってよく、リード線挿通部のリード線延出方向に備えられたものでよい。この開口より、リード線はハウジングの外部に延出され、外部の接続先（例えば、電源回路や端子等）に接続されてよい。
【００１２】
（３）  前記コンタクトが前記ハウジングに挿入されるべく設けられた開口であって、前記カバーにより覆われるところに設けられたもの（「コンタクト挿入開口」）は前記リード線挿通開口につながっていることを特徴とする上記（２）に記載のジャック。このコンタクト挿入開口は、コンタクトをハウジング内の所定の位置に固定するために、ハウジング外部よりコンタクトを挿入する開口であってよい。従って、コンタクトが挿入されるに十分な大きさがあってよく、また、挿入時にのみ開くような開口であってよい。例えば、バネ仕掛けにより、押すことにより、いわゆる２つ割のドアが開くような機構をもった開口を含んでよい。開口の形状等の形態は種々あってよく、コンタクトが挿入できる開口であればよい。この開口がカバーにより覆われるところに設けられるということは、この開口の少なくとも一部が、カバーで閉じられる又は閉塞されることであってよい。例えば、上記コンタクト挿入開口からコンタクトが挿入されたときに、コンタクトがハウジングの所定の位置に固定されるというのは、該コンタクトがハウジングの所定の位置にとどまり、かつ、その位置から脱落しないことであってよく、該コンタクトがハウジングの所定の位置にあって、ある程度前後左右に動くことができることを含んでよい。
【００１３】
（４）  前記コンタクト挿入開口は、前記カバーを前記リード線挿通部のリード線延出方向にスライドすることにより閉塞されるものであることを特徴とする上記（２）又は（３）に記載のジャック。ここで、カバーをリード線延出方向にスライドすることにより、コンタクト挿入開口が閉塞されるということは、リード線の延出方向にスライドする自由度をもつスライド機構をカバーとその支持体が有していることを含んでよい。このような閉塞機構を可逆的に開けるため使用できるようにすれば、一度閉塞しても、再度内部を点検又は補修することが可能である。また、このような機構にすると、リード線を持ってジャックを動かした場合であっても、カバーを押し開く力が働きにくいと考えられる。スライドするカバーには、ロック機構を付けて、一度閉塞したら開きにくい構造とすることもできる。
【００１４】
（５）  リード線を介して電気的なエネルギ供給部又は需要部に接続されるジャックにおいて；  該ジャックは、該ジャックに接続される外部端子と接触し、前記リード線と圧着により接続される圧着部を有するコンタクトと；  該コンタクトを内部に挿入するための開口（「コンタクト挿入開口」）及び挿入室（「コンタクト挿入室」）を有するハウジングと；  該コンタクト挿入開口を、前記コンタクトが前記コンタクト挿入室に挿入された状態で閉塞するカバーと；  を含み；  前記ハウジングは、前記圧着部が収納される圧着部収納通路と；  該圧着部収納通路からリード線をハウジング外部に延出するリード線挿通部と；  を含むことを特徴とするジャック。
【００１５】
ここで、電気的なエネルギ供給部とは、例えば電源回路を含んでよく、また、電気的信号を供給する回路等を含んでよい。このようなエネルギ供給部は、ジャックから伝達された電気エネルギ等を上記回路等に供給してもよく、逆に、電気エネルギ等をジャックの方に供給してもよい。電気エネルギの需要部とは、電気エネルギを消費する回路や部品等であって、ジャックに差し込まれたプラグ等の外部端子経由でジャックへ供給される電気エネルギを更にこのリード線を通して伝達するリード線の接続先のことでよい。この外部端子に接触するコンタクトとは、接触子ともいうことができ、伝達すべきもの（例えば、電気エネルギ）を接触により伝達する部材、部品、又は、その他の要素を含んでよい。圧着とは、接続すべき導線を金属板等の導電性部材又は部品等によって締め付けることにより、同導電性部材等の弾性を利用して導線と導電性部材等との接触圧力を保持することにより、伝達すべきもの（例えば、電気エネルギ）を伝達する接続方法を含んでよい。このような圧着が行われる部位や場所やところを圧着部といってよく、コンタクトはこの圧着部を有する。コンタクト挿入開口とは、このコンタクトをハウジング内部に挿入するための開口であるが、上述のような特徴を有する。また、コンタクト挿入室とは、コンタクトを保持又は収納等する場所を含む空間であって、ハウジング内に形成されるものを含んでよい。コンタクトはその一部が、このコンタクト挿入室に挿入、保持、収納等により配置されてよい。これにより、コンタクトがハウジングに固定されることができる。但し、この固定の意味は上述の説明と同様に、全く動かない固定からある程度の自由度を持って多少動き得る固定までを含んでよい。コンタクト挿入開口は、コンタクトが挿入室に配置された状態でカバーにより閉塞されることができる。即ち、コンタクト挿入開口は、コンタクトが挿入室に配置された状態で、このカバーが同開口を閉塞するにあたり障害となるものが実質的にない状態となることができる。カバーは、矩形、円形、任意の形状を持った板状のものであってよく、また、蓋形状、帽子形状、網状のざる形状等、任意の３次元の形状を取ることができ、材質も、かかる機能を維持する限りは、有機、無機、金属材料等特に限定するものではない。但し、絶縁性の材料がより好ましい。
【００１６】
（６）  前記コンタクトは、専用のリード線と第１の圧着部において圧着により接続された中空であって柱形状をしているコンタクト（「中空柱形状コンタクト」）を含み、前記コンタクト挿入開口は、該中空柱形状コンタクトを挿入するための第１の開口を含むことを特徴とする上記（５）に記載のジャック。
【００１７】
ここで、専用のリード線とは、中空柱形状コンタクト及びこれに接続される端子や線（導線を含む）にのみ接続されるリード線のことであってよい。従って、仮に反対極のコンタクトがあった場合は、この反対極のコンタクトとは接続されないリード線を含んでよい。第１の圧着部とは、後に述べる第２の圧着部と区別するためであり、中空柱形状コンタクトに接続されている。中空柱形状コンタクトは、例えば、板材をプレス等により折り曲げて筒状にしたもののように、柱の中が空洞になった形状を含む形態をとることができる。このとき、基底部に開口があることがより好ましい。放熱性が上がると考えられるからである。尚、基底部とは、柱状形状の端近傍で、第１の圧着部に近い方をいってよい。基底部の反対側の先端部は、基底部と異なり、閉じており、接続相手のプラグとの係合性が向上したり、見栄えが良くなるとも考えられる。中空柱形状コンタクトの柱形状部分は、限定されること無く、円柱形状や角柱形状等の形状を持つことができ、また、鉛直に延びず斜めに延びたり、途中で曲がる形状であってもよい。これらの形状は、接続相手の形状と合うように調整される。コンタクト挿入開口は、この中空柱形状コンタクトを挿入するための第１の開口を含んでよく、通常、コンタクト挿入開口は第１の開口以上の大きさを有する。この第１の開口には、以下に述べるような機能を有する種々の部材を配置することができる。
【００１８】
（７）  前記中空柱形状コンタクトは、前記第１の圧着部に向かう前記中空柱形状の基底部近傍に、Ｌ字型の舌片（「Ｌ字型舌片」）を有し；  前記コンタクト挿入室が、前記中空柱形状コンタクトを挿入する第１の挿入室を含み；  前記第１の開口は、前記中空柱形状コンタクトを該第１の挿入室に挿入するように開口し；  前記第１の挿入室は、前記中空柱形状コンタクトを柱軸に沿って挿入させる柱挿入開口と；  該柱挿入開口の近傍に、前記Ｌ字型舌片に係合して前記中空柱形状コンタクトの柱軸を中心とする回転を抑制する第１の係止部と；  前記中空柱形状コンタクトの前記柱挿入開口への挿入の際に前記Ｌ字型舌片に当接して所定の位置に止める第２の係止部と；  を含むことを特徴とする上記（６）に記載のジャック。
【００１９】
ここで、Ｌ字型舌片は、中空柱形状コンタクトの基底部近傍に配置され、柱軸に対して略直角に延びている舌片を含んでよい。第１の挿入室は、中空柱形状コンタクトを挿入できる形状をしており、通常は、柱軸方向に挿入する形状をしているが、これに限定されるものではなく、柱軸方向に略直角な方向に挿入する場合を含んでよい。仮に柱軸方向に挿入されたとすると、第１の挿入室は、柱の断面形状に合わせた形状をした第１の開口を有してよい。また、同様に柱挿入開口は、柱の断面形状に合わせた形状をしており、そのクリアランスは比較的小さいのが好ましく、このことにより中空柱形状コンタクトのガタが小さくなる。上記Ｌ字型舌片は、ランスとしての機能を含むことができ、該柱挿入開口の近傍に設けられたガイド用のスリットに従って、若しくは、規定されて挿入されてよい。中空柱形状コンタクトの柱軸を中心とする回転を抑制する第１の係止部は、ガイド用のスリットの壁を含んでよく、時に、ランスと呼ばれることもあり得る。前記中空柱形状コンタクトを第１の開口から挿入し、その柱部分を柱挿入開口を通して挿入し、中空柱形状コンタクトをハウジング内の所定位置に配置する際に、挿入進行を止める第２の係止部をハウジングが含んでいてよい。この第２の係止部は、上記Ｌ字型舌片に当接して中空柱形状コンタクトの進行を止めるが、上記ガイド用のスリットの中に段差として設けることができる。即ち、スリットにより回転方向の自由度が制限された中空柱形状コンタクトの舌片の底の端部が、例えば、このような段差に当接し、中空柱形状コンタクトの挿入（進行）を止めることができる。
【００２０】
（８）  前記中空柱形状コンタクトは、前記第１の圧着部に向かう前記中空柱形状コンタクトの基底部近傍に、柱接続基底部及び係合基底部を有し；  前記ハウジングの第１のコンタクト挿入室が、前記係合基底部を係止して前記中空柱形状コンタクトの前記ハウジングからの脱落防止用の第３の係止部を含むことを特徴とする上記（６）又は（７）に記載のジャック。
【００２１】
ここで、柱接続基底部とは、中空柱形状コンタクトの中空の柱形状をした円筒部分の基底側の部分であって、上記円筒部分の部材から連続して延びた部分をいってよい。この部分は、上記２つのＬ字型舌片に挟まれるような位置にあってよい。また、係合基底部とは、上記中空柱形状コンタクトの中空の柱形状をした円筒部分の基底側の端又は辺であって、上記円筒部分を底面から見上げた図において、上記柱接続基底部の対面側に配置される。この係合基底部は、ハウジングの第３の係止部と係合し、中空柱形状コンタクトの挿入方向逆向きの動きを制限し、中空柱形状コンタクトの落下を防ぐとともに、該コンタクトがプラグと係合するときにこの中空柱形状コンタクトが押し込まれるのを防ぐことができると考えられる。上記第３の係止部とは、ハウジングが有する突起物であって、その弾性的性質により、中空柱形状コンタクトが挿入中は柱部分の外壁により第３の係止部は後退させられているが、一旦中空柱形状コンタクトの挿入が完了し、上記係合基底部が一旦上記第３の係止部を通り過ぎると、第３の係止部が上記係合基底部に係合すべく該コンタクトの挿入経路に顔を出すことになってよい。これら係合基底部やや第３の係止部は、時に、ランスと呼ばれることがある。
【００２２】
（９）  前記コンタクトは、専用のリード線と第２の圧着部において圧着により接続された弾性可動接触子を有する断面形状がＪ字型となるコンタクト（「Ｊ字型コンタクト」）を含み；  前記コンタクト挿入開口は、該Ｊ字型コンタクトを挿入するための第２の開口を含むことを特徴とする上記（５）又は（６）に記載のジャック。ここで、弾性可動接触子を有する断面形状がＪ字型となるコンタクトとは、弾性により接触圧を担保できる接触子を含んでよい。また、その略中央の断面形状がＪ字型をしているものを含んでよい。第２の開口は、かかるコンタクトを挿入できるように開いた開口であり、その性質は、第１の開口と略同じである。
【００２３】
（１０）  前記Ｊ字型コンタクトは、Ｊ字型の主縦断面を構成する矩形の背面板（「矩形背面板」）と；  該矩形背面板から前面にある前記弾性可動接触子へ向かう途中に配置され前記弾性可動接触子に弾性による戻し力を担保する下方屈曲部と；  該矩形背面の両側面からＬ字状にＪ字型の前面方向に延びる左及び右のガイド板と、を有し；  前記コンタクト挿入室が、前記Ｊ字型コンタクトを挿入する第２の挿入室を含み；  前記第２の開口は、前記Ｊ字型コンタクトを該第２の挿入室に挿入するように開口し；  前記第２の挿入室は、前記Ｊ字型コンタクトを前記第２の挿入室に導くように前記左及び右のガイド板を案内するそれぞれ左及び右のスリット状の開口（「スリット開口」）を含むことを特徴とする上記（９）に記載のジャック。
【００２４】
ここで、矩形背面板とは、Ｊ字型コンタクトの縦切り断面形状であるＪ字型をした形状の右側にある縦長棒状形状である主縦断面が、背面から見れば、矩形に見える背面板を意味してよい。Ｊ字型コンタクトの底のＪ字における屈曲部若しくはフック部分は、矩形背面板から前面にある弾性可動接触子へ向かう途中に配置されており、弾性可動接触子に弾性による戻し力を担保していてよい。矩形背面の両側面からＬ字状に延びる各ガイド板というのは、矩形背面の両側面から、延びた背面が略直角に曲げられている状態と考えることもできる。但し、屈曲部の屈曲を確保するために前記曲げ部に切り込みが必要となることがある。結果として、これら左及び右のガイド板は、Ｊ字型コンタクトのいわゆる前面方向に延びてよい。Ｊ字型コンタクトを挿入する第２の挿入室及び第２の開口については、上記中空柱形状コンタクトの場合と同様な条件があてはまる。スリット開口は、上記左右のガイド板を挿入し、Ｊ字型コンタクトをスムーズにハウジングに挿入するように、ガイド板の動きを一方向（カバーのスライド方向）に制限することができる。
【００２５】
（１１）  前記Ｊ字型コンタクトは、前記左及び右のガイド板の下方先端の先端エッジと；  略平坦な矩形の板材から構成される前記矩形背面板に前記ハウジングへの挿入方向に対して楔状に隆起する楔隆起部と、を含み；  前記第２のコンタクト挿入室は、前記第２の挿入室に挿入される前記Ｊ字型コンタクトを該先端エッジに当接させることにより係止させる前記第２の挿入室の内壁に形成される第４の係止部と；  前記楔隆起部と係合する前記第２の挿入室の内壁より延びる小片からなる第５の係止部と；  を含むことを特徴とする上記（１０）に記載のジャック。
【００２６】
ここで、左及び右のガイド板の下方先端の先端エッジとは、上記左右のガイド板のＪ字型コンタクトの挿入方向における先端部分であって、縁、端、ヘリ等の板の端部を含んでよい。上記左右のガイド板を両側に有する矩形背面板は、略平坦な（平らな）矩形の板材から構成される。この矩形背面板にある前記ハウジングへの挿入方向に対して楔状に隆起する楔隆起部は、先端エッジがあるところを下方と表現すれば、この矩形背面板の下方から上方に向かうに従って隆起がだんだん大きくなってくる楔形の隆起部を含んでよい。また、この楔隆起部の最大隆起部位を超えると直ちに矩形背面板上に戻る直角三角形状の楔隆起部を含んでよい。このとき、矢尻におけるかえりやもどしのように、上記最大隆起部と上記矩形背面板の間に隙間又は空間が存在する場合を含んでよい。第４の係止部は、第２の挿入室の内壁の一部であって、先端エッジに当接することによりＪ字型コンタクトを係止させ、挿入方向の進行を止める部位又は部材を含んでよい。先端エッジは、挿入の進行方向に対して突出しており、これに当接する第４の係止部は、突出した形状であっても、平坦な形状であっても、また、へこんだ（凹型）形状であっても、先端エッジと係合するものであれば、形態を問わずに含むことができる。上記第２の挿入室の内壁より延びる小片からなる第５の係止部は、へら状の小片であってＪ字型コンタクトの内壁より、挿入進行方向を下向きと表現するならば、下に向かうに従って徐々に矩形背面板に対して近づくように延びているものを含んでよく、ランスと呼ばれることもあり得る。このとき、かかる小片の先端部分が上記楔隆起部と係合するため、両者の係合部位はその目的に適合するような形状をしていることが好ましい。これら第５の係止部と楔隆起部はランスと呼ばれることもあり得る。
【００２７】
（１２）  前記コンタクトは、専用のリード線と第１の圧着部において圧着により接続された中空であって柱形状をしているコンタクト（「中空柱形状コンタクト」）と；  専用のリード線と第２の圧着部において圧着により接続された弾性可動接触子を有する断面形状がＪ字型となるコンタクト（「Ｊ字型コンタクト」）と；  を含み；  前記コンタクト挿入開口は、前記中空柱形状コンタクトを挿入するための第１の開口と；  前記Ｊ字型コンタクトを挿入するための第２の開口と；  を含み；  前記ハウジングは、前記第１の開口と第２の開口との間であって、前記第１の圧着部と第２の圧着部とを隔離するように前記コンタクト挿入開口の開口側に延びる圧着部隔離壁を含むことを特徴とする上記（９）に記載のジャック。
【００２８】
ここで、「専用のリード線」、「第１の圧着部」、「中空柱形状コンタクト」、「第２の圧着部」、「Ｊ字型コンタクト」、「コンタクト挿入開口」、「第１の開口」、「第２の開口」についてはこれまでの説明と同様である。圧着部隔離壁は、第１の開口と第２の開口との間に配置され、第１の圧着部と第２の圧着部とを隔離するように広がる壁を含んでよい。この圧着部隔離壁の形状や形態は特に限定されないが、第１の圧着部と第２の圧着部を電気的に絶縁状態にする壁が好ましく、壁は非導電性の材料からなることが好ましい。コンタクト挿入開口は、第１の開口と第２の開口とを含んでいるため、この圧着部隔離壁がコンタクト挿入開口に含まれていてよい。この場合、この圧着部隔離壁が１の開口と第２の開口の少なくとも一部を仕切る壁となってよい。
【００２９】
（１３）  前記コンタクト挿入開口が略矩形形状であり、前記ハウジングが該コンタクト挿入開口を規定する複数の辺を有し、該複数の辺のうち対向する少なくとも２つの辺の少なくとも一部に前記カバーの側端部と組み合って前記カバーを前記コンタクト挿入開口を閉塞するようにスライドさせるガイド部材を含むことを特徴とする上記（５）〜（１２）のいずれかに記載のジャック。
【００３０】
ここで、略矩形形状には、対向する略直線状の２辺以外は、如何なる形状もとりうる開口形状が含まれてもよいが、規格上の観点からは、正方形や長方形のような略直角４辺形をしているものがより好ましい。コンタクト挿入開口を規定する複数の辺をハウジングが有することは、ハウジングの平面図においてコンタクト挿入開口がその輪郭の中に位置することを意味してよい。ハウジングの平面図は、上述のように、より好ましくは正方形や長方形のような略直角４辺形であってよい。対向する少なくとも２つの辺は、平行以外の関係であってよいが、より好ましくは、略平行の関係である。カバーの側端部は、単なるエッジ部であってよく、また、凸形状を側端部に沿って有した部材であってもよい。あるいは、側端部に凹状の溝形状を側端部に沿って有した部材を含んでよい。このような場合、ガイド部材は、これらの形状に合わせて、適宜、凹形状、凸形状、その他の形状をとってよく、スライド突起を含み、上記カバーがスライドできるようにすることが好ましい。また、単にスライドするだけでなく、上記ガイド部材が、上記カバーをスライド方向以外の方向にはその自由度を制限し、カバーがハウジングから脱落しないようなスライド機構を有するのが好ましい。例えば、凸部と溝の組合わせのようなものである。
【００３１】
（１４）  上記（１）〜（１３）のいずれかに記載のジャックを用いた電子機器。ここで、電気機器は、パソコン、ノートパソコン、ラジオ、カセット、その他の電子機器又は電気機器を含んでよい。また、上記（１）〜（１３）のいずれかに記載のジャックを用いた薄型ノートパソコンを提供する。
【００３２】
【発明の実施の形態】
以下、図面を参照しつつ、本発明の実施例をより詳細に説明するが、本実施例は本発明の好適な例として具体的な形状や材料をあげたものであるので、本発明は本実施例に限られるものではない。
【００３３】
まず、簡単に本実施例の構造機能を説明し、その後に、各図についてより詳しく説明する。ハウジング１の内部は、図１３に示すように隔壁５の上側に、コンタクト挿入開口７が配置してある。隔壁８によって２種類のコンタクト挿入室９，１０に仕切られている。圧着部収納部１２、１３は、隔壁１１によって２つに仕切られている（図９参照）。隔壁５にはコンタクト挿入孔の第１の開口１４と第２の開口１５が形成され、それぞれ、第１の挿入室９と第２の挿入室１０に連通させてある（図１３参照）。第１の挿入室９と第２の挿入室１０は、隔壁８の接触開口１６によって連通させてある（図１４参照）。ハウジング１の裏面１ｂには、全体を臨むようにしてコンタクト挿入開口７が形成されている。第１の開口１４の周りには、図１１に示すように隔壁５と一体に形成されたランス１８が配設されている。このランス１８の両側には、スリット１９が配設され、スリット１９の途中に段部２０が形成されている。
【００３４】
第１の開口１４に挿入される中空柱形状コンタクト３は、板材のプレス加工によって成形されたもので、円筒状のコンタクト本体３ａと、コンタクト本体３ａの基底部近傍に設けた一対のＬ字型舌片３ｂ，３ｂと、リード線５１と接続すべくコンタクト本体３ａの基底部から延出させた第１の圧着部３ｃと、を備えている。この中空柱形状コンタク３のコンタクト本体３ａを、Ｌ字型舌片３ｂ，３ｂとスリット１９，１９の向きを合わせて第１の開口１４に挿入すると、Ｌ字型舌片３ｂ,３ｂが段部２０,２０に当接して、コンタクト本体３ａのコンタクト収納部９への進入が阻止されるとともに、ランス１８がコンタクト本体３ａの係合基底部に係合して、コンタクト本体３ａの後退も阻止され、コンタクト本体３ａが所定位置に保持される。Ｌ字型舌片３ｂ，３ｂがスリット１９、１９に挟まれているため、コンタクト本体３ａの回転も阻止される。
【００３５】
第２の開口１５は断面矩形に形成されていて、その隔壁８側の両隅にはガイド溝２５，２５が表裏方向に形成されている（図１４参照）。第２の挿入室１０の背面の開口１６と対向する箇所には小片（又はランス）２６が配設されている。この小片２６は、図１３に示すようにハウジング１の窓２７の周縁から、断面への字形の薄肉部を延出させて形成されている。
【００３６】
Ｊ字型コンタクト４は板材のプレス加工によって成形されたもので、コンタクト本体４ａと、コンタクト本体４ａの基端部から略直角に延出させたリード線５２との接続のための圧着部４ｂとからなる（図１０参照）。コンタクト本体４ａは、略矩形の矩形背面板４ｃと、この両側縁から折り曲げて延出するガイド板４ｄ，４ｄと、矩形背面板４ｃの下側の屈曲部において折り返す弾性可動接触子４ｅと、矩形背面板４ｃの中央部に設けた楔隆起部（又はランス）４ｆとを備えている。なお、弾性可動接触子４ｅの先端の延長部材の両端をガイド板４ｄ，４ｄの開口４ｇ，４ｇに係合させることで、プラグの挿抜にともなう弾性可動接触子４ｅの変動ストロークを規制できる。
【００３７】
このコンタクト４をハウジング１に組み付ける場合には、折曲片４ｄ，４ｄをガイド溝２５，２５に係合させてコンタクト本体４を第２の開口１５に挿入する（図１参照）。両ガイド板４ｄ、４ｄの先端（先端エッジに相当）が第２の挿入室１０の底部内壁に当接すると、コンタクト本体４ａの更なる進入が阻止されるとともに、ランス２６がランス４ｆに係合して、コンタクト本体４ａの後退が阻止される。これによって、コンタクト本体４ａが第２の挿入室１０の所定位置に保持されることになる。このとき、弾性可動接触子４ｅが隔壁８の開口１６から正極側のコンタクト収納部９内に突出する。
【００３８】
ハウジング１には、図９に示すようにコンタクト挿入開口７の両側縁に沿ってガイド溝３６が一対形成されている。さらに、隔壁１１の上面に突設したストッパー３７にもガイド溝３６が一対形成されている。隔壁５の上面には、隔壁８に連なる隆起部３８が形成されるとともに、この隆起部３８の先端に隣接して凹部３９が形成されている。また、圧着部収納部１２，１３に連通したリード線挿通部４０，４１が形成されている。
【００３９】
ハウジング１のコンタクト挿入開口７は、その両側縁にはスライド突起４３がそれぞれ形成されているカバー４２により閉塞される（図５参照）。このスライド突起４３は、カバー１の前端に設けたスリット４４の対向面にも形成されている。スリット４４の両側にはそれぞれの圧着部収納部と連通するリード線挿通部に対応する位置に干渉回避用の凹部４５，４６がカバー４２の裏側に形成されている。さらに、カバー１の後端にもスリット４７が形成されるとともに、このスリット４７の両側に楔状隆起部４８と隆起部４９がカバー４２の裏側に配設されている。
【００４０】
カバー４２をハウジング１に装着する場合には、スライド突起４３をガイド溝３６に係合させて、図中矢印方向にカバー４２をスライドさせる（図５参照）。カバー４２の前端がストッパー３７まで達すると、スリット４４のスライド突起４３がストッパー３７のガイド溝３６に係合する。その後、楔状隆起部４８の斜面が隆起部３８に乗り上げて、楔状隆起部の垂直面４８ｂが隆起部３８に係合し、スリット４４がストッパー３７に当接し、カバー４２のスライドがストッパー３７と隆起部３８によって阻止されることになる。
【００４１】
次に、この電源ジャックの組立方法について説明する。
予め、２種類のコンタクト３,４の圧着部３ｃ,４ｂをかしめてリード線５１，５２を接続しておく。まず、図１に示すようにＪ字型コンタクトのコンタクト本体４ａを第２の開口１５を通してコンタクト挿入室１０に挿入・固定することで、圧着部４ｂを圧着部収納部１３に収納し、リード線５２をリード線挿通部４１からハウジング１の外に取り出す。次いで、図２に示すように柱形状のコンタクト本体３ａを柱挿入開口１４を通して第１の挿入室９に保持してから、図３に示すように折り曲げて圧着部３ｃを圧着部収納部１２に収納することで、リード線５１をリード線挿通部４０からハウジング１の外に取り出す。最後に、図５に示すようにハウジング１のコンタクト挿入開口７にカバー４２を装着する。
【００４２】
以下各図面について説明しつつ、本実施例を詳説する。図１は、本実施例のジャックのハウジング１に、弾性可動接触子を有する断面形状がＪ字型となるコンタクト（「Ｊ字型コンタクト」）４をハウジング１の裏面１ｂに配置される内部に挿入するための開口（「コンタクト挿入開口」）に挿入しようとするようすを示している。ハウジング１は、全体として矩形の箱のような形状をしており、図中右上に見える裏面１ｂと、この裏面の４つの辺に接する４つの側面と、第１図では左下向きで見えないが、第７図において下向きに見えている表面１ａで囲まれている。４つの側面のうち、第１図の手前に見えている第１の側面には、略中央部に窓２７が設けられ、その中には、肉薄になった小片（又はランス）２６が配置されている。この第１の側面の隣にある図中下向きの第２の側面には、ハウジング１の裏面１ｂ側にこの第２の側面から突き出た矩形の隆起部６０が形成され、その隆起部６０の第２の側面側に２つの略矩形の開口が設けられている。これらの開口は、リード線挿通開口４０ａ、４１ａであり、それぞれの開口に通じるリード線挿通部４０、４１がこの隆起部の中に設けられている。これらのリード線挿通部４０、４１は、ハウジング１の裏面方向に開口しており、上記隆起部を上記第２の側面側から見た場合、Ｗ字形状若しくは横倒しＥ字形状をしている。このＥ字形状をした部材のＥ字の３つの開放先端部には、後に述べるカバー４２をスライドさせるガイド溝３６が、凹型に形成されている。このガイド溝３６は、上述のガイド部材の１の実施例であり、ハウジング１の裏面１ｂに略平行に形成されている。このガイド溝３６の上側の突起部１７は、ガイド溝３６を形づくる一方の壁を形成し、後に述べるカバー４２をガイド溝３６に沿ってスライドさせたときに、カバー４２がハウジングから離れないように保持する機能を有する。上記Ｅ字の３つの開放先端部の真中の先端部３７は、後に述べるカバー４２がスライドして、ハウジング１の裏面１ｂにある開口を閉塞する際に、ストッパー３７として機能する。このストッパー３７は、上記２つのリード線挿通部４０、４１及びこれら挿通部に通じるそれぞれの圧着部収納通路を隔離する隔壁１１の上に形成される。
【００４３】
図１において、リード線挿通開口４０ａ、リード線挿通部４０と上っていくと、上記第１の圧着部である中空柱状コンタクトの圧着部を収納する凹部、すなわち圧着部収納部（又は、第１圧着部収納通路）１２を経由して、中空柱状コンタクトの基底部から第１の圧着部へと延びる部材を収納する空間（又は部材延出部）へと、更に、中空柱状コンタクトを挿入する第１の開口１４へとつながっていく（図１２参照）。第１圧着部収納通路１２及び部材延出部は、それらの底部を規定する隔壁５の裏面１ｂ側の隆起に伴い、その深さが浅くなってきている。第１の開口１４には、柱挿入開口１４ａの周りに、上記部材延出部に対向する位置に第３の係止部の１つの実施例である所謂ランス１８が配置される。このランス１８は、図中ハウジング裏面１ｂ側を上にして立っている縦断面形状がト字状若しくは逆ト字状の形状をした部材で、横断面形状は矩形をしている。このランス１８の両側にはスリット１９が設けられ、ランス１８がその下部でハウジング１に連続的につながっている部材の弾性を利用して、ランス１８は前後に可動することができる。かかる動きに必要な力を調節するように、上記ランス１８の背面にはスリット１８ｂが設けられ、上記連続的につながっている部材の断面積等が調整されている。このスリット１８ｂは、その巾によりランス１８が後ろ（背面側）に押されたときに、ランス１８を移動させる自由度を与えることができる。このため、柱状のコンタクトを柱挿入開口１４ａに挿入した時に、過大な抵抗を生じさせることなく、かかるランスによるロック機構を機能させることができる。また、ランス１８のト字の鼻先近傍には、柱挿入開口１４ａに合わせるように円弧状にややえぐられた部分があり、円筒状の中空柱状コンタクト３をスムーズに挿入できるようにしてある。
【００４４】
リード線挿通開口４０ａ、４１ａとは、反対側のハウジング側面近傍には、隆起部３８が形成され、後に述べるカバー４２の楔状の隆起部４８との係合によるロック機構を構成する。コンタクト挿入開口に含まれる第２の開口１５は、その断面形状がＪ字状に見えるＪ字型コンタクト４を第２の挿入室１０に挿入できるように開いている。Ｊ字型コンタクト４は、本体コンタクト４ａと、第２の圧着部４ｂと、該第２の圧着部４ｂで接続されたリード線５２を保持する圧着部４ｈと、から構成される。本体コンタクト４ａは、後により詳細に説明するが、その矩形背面板４ｃと、その両側に配置されたガイド板４ｄ（開口４ｇを含む）と、を含んでいる。矩形背面板４ｃには、その略中央に、上述の楔隆起部材の１の実施例である楔型に隆起した部材（又はランス）４ｆがあり、上記小片２６との係合を行うことができる。
【００４５】
図２は、本実施例のジャックのハウジング１に、Ｊ字型コンタクト４をハウジング１の第２の挿入室１０に挿入して所定の位置に固定した後、中空柱状コンタクト３をコンタクト挿入口の第１の開口１４からハウジング内部に挿入しようとするようすを示している。中空柱状コンタクト３は、円筒状の本体３ａと、Ｌ字状舌片３ｂと、リード線を圧着する第１の圧着部と、から構成される。挿入前は、図のように、中空柱状コンタクト３は、上記各部材が柱軸に沿って一直線に並んでいる。中空柱状コンタクト３の先端（矢印の挿入方向に対して）は、図中左下を向いているが、中空の円筒状の本体３ａを板金から作成したのと同様の方法で閉鎖することができる。先端は、ジャックの規格や見栄えその他の理由で本実施例では球状にされている。図からわかるように、中空柱状コンタクト３は、ランス１８の両側スリット１９にはめ込まれるように、その舌片３ｂを図中左上向きにして、第１の開口１４を通して柱挿入開口１４ａに挿入される。
【００４６】
図３は、中空柱状コンタクト３が第１の開口１４を通して柱挿入開口１４ａに挿入され所定の位置に固定された状態を示す。舌片３ｂの柱軸における先端側の端部（下向きＬ字形でたとえると、Ｌの横棒にあってＬの内角側の端部）は、スリット１９の中に作られた段差２０に当接し、舌片３ｂの更なる挿入進行を阻止する。これにより、中空柱状コンタクト３の挿入進行が止められる。ここで、段差２０は、スリット１９内に形成された平坦部であって、スリット１９の円筒状本体３ａに対して外側に設けられたものである（図１１及び１３参照）。また、このとき円筒状本体３ａによって外側に押されていたランス１８の鼻先部１８ａが、円筒状本体３ａの基底端部にある係合基底部を超えたために、その弾性反発力により柱挿入開口１４ａ内側に戻り、係合基底部と係合し、中空柱状コンタクト３が脱落しないようにする。このランス１８の鼻先部である係止部（第３の係止部に含まれてよい）１８ａは、係合基底部との一箇所で係合してしているが、柱挿入開口１４ａの中空の円筒状の本体３ａに対するクリアランスはあまり大きくないため、円筒状の本体３ａを柱軸から傾けて上記係合を解消しようとすることは容易にはできない。即ち、柱挿入開口１４ａが円筒状の本体３ａの図中右下向きの動きを制限する。
【００４７】
ハウジング１の第１の挿入室９の所定の位置に固定された中空柱状コンタクト３は、図中矢印の向き（カバー４２の閉塞スライド方向）に曲げられ、その第１の圧着部３ｃを圧着部収納通路１２に、リード線５１を圧着側からリード線挿通開口４０ａへとリード線挿通部４０に収容するようにする。図４は、このようにして中空柱状コンタクト３が曲げられハウジングの凹部に収納された状態を示している。中空柱状コンタクト３の上述の柱接続基底部に相当する部分は、第１の圧着部３ｃと円筒状の本体３ａの基底部との間に位置する部分である。より具体的には、図４におけるリブ有り延出部３ｃ'及びリブなし曲げ部３ｃ"である。リブ有り延出部３ｃ'は、リブがある分だけ、曲げに対する抵抗が大きく、圧着部収納通路１２に略真直ぐな状態で収納される。一方、リブなし延出部３ｃ"は、リブがなくまた、隔壁５の角部（図１２参照）近傍にあるため、曲がりやすくなっている。このため、曲げ部が必要以上に広がり、大きく湾曲するためにハウジング１の凹部に収納しきれないことを防ぐことができる。尚、隔壁５の角部は、鋭角的になっており、曲げにおけるスプリングバックを考慮したものとなっている。
【００４８】
図５は、Ｊ字型コンタクト４及び中空柱状コンタクト３がハウジング１に挿入され、それぞれのコンタクトの圧着部４ｂ、３ｃ等がハウジング１の裏面側の凹部にそれぞれ収納された後に、カバー４２をスライドさせて、裏面１ｂの開口７を閉塞するようすを示している。カバー４２は、略矩形をした板状のものであるが、図中の矢印に現されたスライド方向に対して、先端側に、スリット４４を所定の長さでスライド方向に対して略平行にして備えている。このスリット４４を規定する両端部には、カバー４２の両側面にあるのと同じスライド突起４３が設けられている。このスライド突起４３は、ハウジング１のガイド溝３６と嵌め合わされ、ガイド溝３６に沿ってカバー４２をスライドさせることができる。カバー４２は、その後部にスリット４７を有し、薄肉部５０がその右横の表面に矢印を施した部位から独立して変形できるようにされている。薄肉部５０の裏面には楔状隆起部４８が形成されている。この楔状隆起部４８は、ハウジングの隆起部３８と共にカバー４２のロック機構を構成する。
【００４９】
まず、カバー４２の先端部の両側にあるスライド突起４３をハウジング１の両側辺にあるガイド溝３６にはめ込む、このとき、ガイド溝３６を形成する突起部１７は、スライド突起４３の上側（又は裏面側）に位置し、カバー４２の上側への動きを制限するため、カバー４２がコンタクト挿入開口７を閉塞すべくスライドするときにあっても、カバー４２がガイド溝３６から外れてカバー４２がハウジング１から脱離してしまわないようになっている。カバー４２の先端がそのスライド突起４３とガイド溝３６において係合した後は、カバー４２をなるべく矢印のスライド方向に真直ぐに押すようにする。カバー４２の先端がハウジングのストッパー３７のスライド方向に対して最後部に到達したとき、カバー４２のスリット４４にあるスライド突起４３が、ストッパー３７にあるガイド溝３６と、の嵌め合いが始まり、両者の関係は、両側のスライド突起部４３とガイド溝３６の関係と同様になる。但し、ストッパ３７にあるガイド溝３６を形成する突起部１７は、このリード線挿通部近傍に位置するようになるため、カバー４２の上方向の脱離がより生じにくくなる。図６において、リード線５１、５２を図中で上方に引っ張った場合、カバー４２には、そのリード線挿通開口４０ａ、４１ａにおいて上方に引っ張る力が働く。そのため、このようなストッパー３７にあるガイド溝３６等による補強構造は、大変好ましい。図５に戻ると、カバー４２のスライドがもう少し進むと、楔状隆起部４８の斜面４８ａが、ハウジングの隆起部３８に接触し始める。楔状隆起部４８の斜面４８ａは、先端から後尾に向ってなだらかに隆起が増してくる形状を持っているため、カバー４２のスライドには多少の抵抗増加がみられるが、急激な変化はなく、コンタクト挿入開口７を閉塞するまでスライドすることができる。このときの抵抗は、肉薄部５０の厚みや長さを調整することにより、最適な抵抗に調整することができる。カバー４２が閉塞されると、楔状隆起部４８は、ハウジング１の隆起部３８を乗り越え、前にある凹部に肉薄部５０の弾性反発力によりはまり込むことになる。これによって、カバー４２は後ろ向きにスライドして開口部を開くことを困難にする。楔状隆起部４８の端部４８ｂと隆起部３８が互いに切り立った面で当接しているためである。尚、ストッパー３７がスリット４４の最後部に当接し、カバー４２のスライド方向の進行を止めることになる。即ち、カバー４２は、ストッパー３７と隆起部３８に挟まれて、また、突起部１７と溝部３６に挟まれて、その動きが止められ、位置が固定されることとなる。
【００５０】
図６は、以上のようにしてコンタクト挿入開口７が閉じられた状態を示している。このようにして完成したジャックは大変コンパクトな形状をしている。ハウジング１の表面側近傍にある側面を一周するように設けられた溝は、このジャックが使われる機器のフレームやボディに取り付けるために使用することができる。そのため、ジャックの電気的接続部に機械的な力を加えることがなく、ジャックを固定できる。図７は、この完成したジャックを下から見たようすを示している。ハウジング１の表面１ａの略中央に開いた丸い開口２は、ジャックに接続されるプラグ等の外部端子を挿入する穴である。開口２から、中空柱状コンタクト３の先端部が見えている。また、Ｊ字型コンタクト４の弾性可動接触子が開口２より見える。これら２つのコンタクトはそれぞれに正負又は正とアースのような関係で用いることができる。ちなみに、本実施例のジャックは、組立て・分解がいつでも可能となっており、分解する時には各ロック機構を解除して上述とは逆の動きを各部品にさせればよいことになる。
【００５１】
図８は、カバー４２の裏側をより詳しく示したものである。カバー４２の先端には、スリット４４があり、スリット４４を規定するカバー４２の端部には、スライド突起４３がカバー４２の側端部のスライド突起４３と同様に形成されている。図中右側の凹部４６は、カバー４２でハウジング１を閉塞するとＪ字型コンタクトの第２の圧着部４ｂや圧着されたリード線を収納する圧着部収納部とリード線挿通部の蓋部分に相当する。また、左側凹部４５は、中空柱状コンタクト３の第２の圧着部３ｃや圧着されたリード線を収納する圧着部収納部とリード線挿通部の蓋部分に相当する。このように、これらの凹部４６、４５は、上記の収納空間をより大きくすることができる。カバー４２の後ろ側には、スリット４７があり、その右隣にカバー４２のロック機構の一部を構成する隆起部４８、そのなだらかな斜面４８ａ、急に切り立った壁のような端部４８ｂを有している。スリット４７の左隣には、隆起部４９が配置され、この隆起部４９は、ランス１８の背面に当接若しくはかなり近くまで接近し、ランス１８が、中空柱形状コンタクトが外れる方向に可動するのを規制する。
【００５２】
図９は、ハウジング１の各部材を詳細に示したものである。ガイド溝３６は、ハウジング１の両側壁上部に突起部１７の下に設けられており、更に、手前面中央のストッパー３７の上部に設けられており、上述のカバー４２の両側端面等にあるスライド突起４３と組み合わさって、スライド式のコンタクト挿入開口７の閉塞機構を構成する。コンタクト挿入開口７のＪ字型コンタクトを挿入する第２開口１５の手前には、圧着にて接続されるリード線５２のＪ字型コンタクトの圧着部を収納する圧着部収納部１３が、更に、その手前にリード線挿通部４１があり、手前面にある隆起部６０の手前面に向って見た場合、Ｗ字形状若しくは倒しＥ字形状の側面図中、左側開口であるリード線挿通開口４１ａからは、Ｊ字型コンタクトに圧着により接続されたリード線が延出される。右隣の開口は、中空柱形状コンタクト３と圧着により接続されたリード線５１が延出されるリード線挿通開口４０ａであり、この奥にリード線相通部４０、更に奥に第１の圧着部収納部１２へと続いている。第１の圧着部と第２の圧着部を隔てる隔壁１１は、ストッパー３７をその上に有している。この隔壁１１は、ストッパー３７の上面とカバー４２の上面とが面一（ツライチ）の関係にあるため、隔壁内に開口がない隔壁１１は、両コンタクトを電気的に確実に隔離することができる。Ｊ字型コンタクト４の構造について図１０を参照しつつ説明し、図１及び９を参照しつつ、Ｊ字型コンタクト４を挿入する手順を説明する。上述のように、Ｊ字型コンタクト４は、コンタクト本体４ａとリード線５２と圧着により接続する圧着部４ｂとから構成され、コンタクト本体４ａは、矩形背面板４ｃと、その両側に略直角に前方に曲げられたガイド板４ｄ、４ｄと、Ｊ字の底にある下方屈曲部で生じる弾性力によって担保された接触圧を有することができる弾性可動接触子４ｅと、が矩形背面板４ｃの前側であって、両側のガイド板４ｄ、４ｄに囲まれるところに配置されている。この弾性可動接触子４ｅは、更に折り込まれた先端部分に両側のガイド板４ｄ、４ｄの開口４ｇ、４ｇにその両端を拘束される巾方向に延びた先端折込部材を有している。この開口４ｇ、４ｇによって巾方向に延びた先端折込部材の動きが制限されるため、可動弾性接触子４ｅは、その弾性変形量等が、この開口４ｇ、４ｇの大きさ以内に限られる。図１において矩形背面板４ｃの先端側（又は下方側）の両側には、切り込みが入っており、両側のガイド板４ｄ、４ｄと矩形背面板４ｃとの接続辺長さがやや狭くなっている。これは、上記下方屈曲部による弾性力を適宜調整するためであり、また、この両ガイド板４ｄ、４ｄの最先端にある部分（やや角が取れているが、矩形背面板４ｃに対して略直角をなしている先端エッジ）は、この下方屈曲部よりも下方若しくは先端に突出している。従って、このＪ字型コンタクト４をその挿入方向に進めた場合、第２の挿入室１０の底部形状が平坦であるので（図１３参照）、この先端エッジが下方屈曲部よりも先にこの平坦な底部（「低部平坦面」）１０ａに当接することとなる。このような底部平坦面は、第４の係止部の１つの実施例に含まれてよい。このため、下方屈曲部はこの挿入により外部応力が特に働くことがなく、可動接触子４ｅに担保したその弾性特性に殆ど影響が及ばない。
【００５３】
図１に示すように、Ｊ字型コンタクト４は手前側に矩形背面板４ｃをその楔隆起部４ｆと共に配置し、両側のガイド板４ｄ、４ｄをハウジング１の第２の開口１５にあるガイド溝２５、２５に嵌めるように差し込む。従って、小片２６は、Ｊ字型コンタクト４が挿入されるに従い、楔隆起部４ｆの隆起斜面に乗り上げていき、Ｊ字型コンタクト４が完全に第２の挿入室に挿入されると、上述のように両側のガイド板４ｄ、４ｄの先端エッジが、第２の挿入室の底部平坦面１０ａに当接し、Ｊ字型コンタクト４の挿入進行が止められる。このとき、楔隆起部４ｆの隆起斜面に乗り上げていた小片２６は、楔隆起部４ｆの最大隆起部を乗り越え、小片自身の弾性反発力により、第２の挿入室１０の内側にその先端が押し戻され、同時に、楔隆起部４ｆの最大隆起部先端が、小片２６を乗り越え、自身の弾性反発力により、第２層入室１０の外側（又は、矩形背面板の背面方向）に押し戻される。但し、通常、コンタクトは金属で形成され、ハウジングの一部である小片は合成樹脂で作成されるため、楔隆起部の弾性変形はわずかか、殆どない場合もあり、このような場合は、金属は殆ど変形せず、もっぱら、小片２６が自身の反発力で内側に押し戻されることになる。このように、小片２６が内側に押し戻されると、小片２６の先端が、楔隆起部の最大隆起端部と係合し、Ｊ字型コンタクト４を第２の挿入室１０内に固定することになる。隆起部３８は、上述のようにカバー４２のロック機構の構成要素である。ランス１８は、その鼻先部１８ａにおいて上述のように挿入された中空柱形状コンタクト３の係合基底部と係合し、中空柱形状コンタクト３の脱落防止をすると共に、ジャックにプラグ等（図示せず）が接続されるとき、その押付け力に対向する。この鼻先部１８ａは、上述の第３の係止部の１つの実施例に含むことができる。凹部２２にはカバー４２の下面にある隆起部４９が、カバー４２をスライドするとやってきて、ランス１８の背面向きの変形に対向するように機能する。段差２０は、舌片４ｂの先端に当接し、中空柱形状コンタクト３の挿入進行を止める。突起部１７は、ガイド溝３６を形成し、カバー４２のスライド突起４３を上側から抑え、ハウジング１から離脱させない機能を有する。
【００５４】
図１１は、ハウジング１をその裏面１ｂから見た平面図である。それぞれの構成物については、これまで説明してきた通りである。ハウジング１の内部構造をよりわかりやすく見るために、Ａ−Ａ断面が図１２に、Ｂ−Ｂ断面が図１３に、Ｃ−Ｃ断面が図１４に示してある。尚、図１１において、第２の開口１５の先に見える円弧状のものは、ハウジング１の表面１ａに開いている開口の縁２である。図１２は、第１の開口をカバー４２のスライド方向に切った断面を第２の開口１５側に向ってみたものである。第１の挿入室９は、この矩形の開口部分で第２の挿入室１０と連通しているが、中空柱形状コンタクト３の円筒状コンタクト本体３ａに対して比較的狭いクリアランスを有する柱挿入開口１４ａがその上に位置する。ランス１８は、係合して円筒状コンタクト本体３ａ上への動きを制限する鼻先部１８ａを有し、背後のスリット１８ｂによりその背後方向への変形抵抗を調整する。図１３は、柱挿入開口１４ａの中心を通って、カバー４２のスライド方向に対して垂直な断面をスライド方向について先端部から後尾側を見たものである。コンタクト挿入開口７が両側突起部１７に挟まれた空間に位置される。舌片４ｂと当接する段差２０の位置が高さにおいて明確にわかる。第１の挿入室９と第２の挿入室１０は、隔壁８がない部分（接触開口１６）において連通し、コンタクトをすべて挿入したジャックでは、連通する開口においてＪ字型コンタクト４の可動接触子４ｅが第１の挿入室に顔を出すことになる。それによって、円筒状コンタクト本体３ａを内部に挿入したプラグの他の極がこの可動接触子４ｅと接触し、電気エネルギ等を伝達することができる。ランス１８の鼻先部１８ａに半円形が描かれているのは、この部分を少し削ることにより、円筒状コンタクト本体３ａを挿入しやすくしたためである。図１４は、第２の挿入室をカバー４２のスライド方向に切った断面を第１の挿入室９側に向ってみたものである。上述のように接触開口１６が、隔壁８のないところに開いており、ジャックとしての機能を果たしている。
【００５５】
図１５は、本実施例で用いた中空柱形状コンタクト３の放熱特性結果を表したものである。図において、縦軸は、初期の温度から上昇した分の温度（即ち温度差）を表している。横軸は、このような柱形状コンタクトに流した電流値を示している。この図において上に行けば、温度上昇が大きいことを、右に行けば流した電流が多いことを示している。実験は、実施例の中空ピンと比較例の中実ピンに同様に電流を流すことによりその温度上昇を同一条件で測定したものである。温度を測定した測定部位は、それぞれにピンとソケットであるが、それぞれの特徴的な形状のためできるだけ等価な部位における測定を行った。グラフにおいて、中開きのダイヤモンド形状及び正方形のプロットは、それぞれ本実施例のピン及びソケットでの測定結果である。また、黒三角のプロットは、比較例のピンでの測定結果である。×プロットは、比較例のソケットの測定結果である。このグラフから、全ての電流値において、実施例のピン及びソケットの温度上昇は、比較例のそれらの値に比べ明らかに少ないことがわかる。このように、ジャックに中空の柱状のコンタクトを用いると、温度上昇が低く抑えられることがわかる。これは、おそらく中空であるため放熱面積が大きくなって放熱性が向上したためと考えられる。
【００５６】
図１６は、本発明の１つの実施例であるジャック６４をノートパソコン６２に適用した例を示す。このジャック６４は、ノートパソコン６２の電源ジャックである。プラグ接続用の開口から、中空柱形状コンタクトの先端にその特徴的な模様である十字が見えている。このようなノートパソコンだけでなく、本発明のジャックはあらゆる電気機器に適用することができる。また、その適用範囲は電源だけでなく、電気信号を取り出したり、受け取ったりするあらゆる種類のジャックに応用することができる。
【００５７】
【発明の効果】
本発明によるジャックは以上のように圧着によるコンタクトとリード線との間の接続を行っていることから、こじり挿入による半田クラックが発生しないため、導通不良による接触信頼性低下を防止でき、また正極端子がプレス品の中空ピンとなるため中実ピンにくらべ放熱性能がよくなる。また、基板に取付ける必要がないことから、取付ける箇所まで基板を配置する必要がないためＤＣジャックの配置について設計の自由度を上げることができ、機械の薄型化に有効となる。また、半田による接続を用いていないため、いつでも、容易に組立てや分解を行うことができる。
【００５８】
なお、以上の実施形態では、２つのコンタクト３，４を備えたジャックについて説明したが、プラグの挿抜にともなって、コンタクト４の可動接触子４ｅが接触離反する固定接片を備えた電源ジャックにも本発明を適用することができる。
【図面の簡単な説明】
【図１】本発明の実施例であるジャックの組立手順（コンタクトの挿入）を示す斜視図。
【図２】本発明の実施例であるジャックの組立手順（もう１つののコンタクトの挿入）を示す斜視図。
【図３】本発明の実施例であるジャックの組立手順（コンタクト基底部近傍の曲げ加工）を示す斜視図。
【図４】本発明の実施例であるジャックの組立手順（圧着部の収納）を示す斜視図。
【図５】本発明の実施例であるジャックの組立手順（カバーの係合）を示す斜視図。
【図６】本発明の実施例であるジャックの組立手順（組み立て完成）を示す斜視図。
【図７】図６の電源ジャックを表側から見た斜視図。
【図８】図５のカバーを裏側から見た斜視図。
【図９】ハウジングを裏側から見た斜視図。
【図１０】Ｊ字型コンタクトの斜視図。
【図１１】図９の平面図。
【図１２】図１１のＡ−Ａ線断面図。
【図１３】図１１のＢ−Ｂ線断面図。
【図１４】図１１のＣ−Ｃ線断面図。
【図１５】中空柱形状コンタクトの電流量と温度上昇の関係を示すグラフ。
【図１６】本発明の１つの実施例であるジャックを適用した電気機器を示した斜視図。
【符号の説明】
１    ハウジング
１ａ  ハウジングの表面
１ｂ  ハウジングの裏面
３    中空柱形状コンタクト
３ａ  コンタクト本体
３ｂ  Ｌ字型舌片
３ｃ  第１の圧着部
４    Ｊ字型コンタクト
４ａ  コンタクト本体
４ｂ  第２の圧着部
４ｄ  ガイド板
４ｅ  弾性可動接触子
４ｆ  楔隆起部
５    隔壁
６    プラグ接続開口
７    コンタクト挿入開口
８    隔壁
９    第１の挿入室
１０  第２の挿入室
１１  隔壁
１４  第１の開口
１５  第２の開口
１７  突起部
１８  ランス
１９  スリット
２０  段部
２５  ガイド溝
２６  小片（ランス）
３６  ガイド溝
３７  ストッパー
３８  隆起部
４０  リード線挿通部
４１  リード線挿通部
４２  カバー
４３  スライド突起
４４  スリット
４７  スリット
４８  楔状隆起部
５１  リード線
５２  リード線
【図１】
0004074776.tif 000002
【図２】
0004074776.tif 000003
【図３】
0004074776.tif 000004
【図４】
0004074776.tif 000005
【図５】
0004074776.tif 000006
【図６】
0004074776.tif 000007
【図７】
0004074776.tif 000008
【図８】
0004074776.tif 000009
【図９】
0004074776.tif 000010
【図１０】
0004074776.tif 000011
【図１１】
0004074776.tif 000012
【図１２】
0004074776.tif 000013
【図１３】
0004074776.tif 000014
【図１４】
0004074776.tif 000015
【図１５】
0004074776.tif 000016
【図１６】
0004074776.tif 000017